(57)【要約】【課題】マルチチャンネル音声データのチャンネル数よりも少ないアンプ数で効果的に音声信号を処理して再生できる装置を提供する。【解決手段】音声処理装置としてのＡＶアンプ５のＤＳＰ１０は、セレクト信号に応じてサラウンド音声信号からサラウンド拡張音声信号Ｓ２を生成する。プリアウト部１１は、サラウンド後方音声信号ＳＢと、外側音声信号ＦＷと、サラウンド拡張音声信号Ｓ２のいずれかを選択的にパワーアンプ１２に出力して増幅する。サラウンド後方音声信号ＳＢと、外側音声信号ＦＷと、サラウンド拡張音声信号Ｓ２とでパワーアンプ１２を共用することでパワーアンプ１２の個数を削減する。【選択図】図４
2014096735.tif 000002
【特許請求の範囲】
【請求項１】
マルチチャンネル音声データから得られるサラウンド左音声信号を増幅して出力する第１増幅部と、
前記マルチチャンネル音声データから得られるサラウンド右音声信号を増幅して出力する第２増幅部と、
前記サラウンド左音声信号を時間遅延及び／又はレベル調整したサラウンド拡張左音声信号と、前記マルチチャンネル音声データから得られるサラウンド後方左音声信号と、前記マルチチャンネル音声データから得られる左外側音声信号のいずれかを選択的に増幅して出力する第１共用増幅部と、
前記サラウンド右音声信号を時間遅延及び／又はレベル調整したサラウンド拡張右音声信号と、前記マルチチャンネル音声データから得られるサラウンド後方右音声信号と、前記マルチチャンネル音声データから得られる右外側音声信号のいずれかを選択的に増幅して出力する第２共用増幅部と、
ユーザ操作可能な操作部と、
前記操作部からの操作信号に応じて、前記第１共用増幅部及び前記第２共用増幅部で増幅すべき信号を切替制御する制御部と、
を備えることを特徴とする音声処理装置。
【請求項２】
マルチチャンネル音声データから得られるサラウンド左音声信号を増幅して出力する第１増幅部と、
前記マルチチャンネル音声データから得られるサラウンド右音声信号を増幅して出力する第２増幅部と、
前記サラウンド左音声信号を時間遅延及び／又はレベル調整したサラウンド拡張左音声信号と、前記マルチチャンネル音声データから得られる左上側音声信号と、前記マルチチャンネル音声データから得られる左外側音声信号のいずれかを選択的に増幅して出力する第１共用増幅部と、
前記サラウンド右音声信号を時間遅延及び／又はレベル調整したサラウンド拡張右音声信号と、前記マルチチャンネル音声データから得られる右上側音声信号と、前記マルチチャンネル音声データから得られる右外側音声信号のいずれかを選択的に増幅して出力する第２共用増幅部と、
ユーザ操作可能な操作部と、
前記操作部からの操作信号に応じて、前記第１共用増幅部及び前記第２共用増幅部で増幅すべき信号を切替制御する制御部と、
を備えることを特徴とする音声処理装置。
【請求項３】
マルチチャンネル音声データから得られるサラウンド左音声信号を増幅して出力する第１増幅部と、
前記マルチチャンネル音声データから得られるサラウンド右音声信号を増幅して出力する第２増幅部と、
前記サラウンド左音声信号を時間遅延及び／又はレベル調整した第１サラウンド拡張左音声信号と、前記マルチチャンネル音声データから得られるサラウンド後方左音声信号と、前記マルチチャンネル音声データから得られる左外側音声信号のいずれかを選択的に増幅して出力する第１共用増幅部と、
前記サラウンド右音声信号を時間遅延及び／又はレベル調整した第１サラウンド拡張右音声信号と、前記マルチチャンネル音声データから得られるサラウンド後方右音声信号と、前記マルチチャンネル音声データから得られる右外側音声信号のいずれかを選択的に増幅して出力する第２共用増幅部と、
前記サラウンド左音声信号を時間遅延及び／又はレベル調整した第２サラウンド拡張左音声信号を外部増幅部に出力するとともに、前記サラウンド右音声信号を時間遅延あるいはレベル調整した第２サラウンド拡張右音声信号を外部増幅部に出力するプリアウト部と、
ユーザ操作可能な操作部と、
前記操作部からの操作信号に応じて、前記第１共用増幅部及び前記第２共用増幅部で増幅すべき信号を切替制御する制御部と、
を備えることを特徴とする音声処理装置。
【請求項４】
請求項２，３のいずれかに記載の音声処理装置において、
前記マルチチャンネル音声データから得られるサラウンド後方左音声信号と、前記マルチチャンネル音声データから得られる左外側音声信号のいずれかを選択的に増幅して出力する第３共用増幅部と、
前記マルチチャンネル音声データから得られるサラウンド後方右音声信号と、前記マルチチャンネル音声データから得られる右外側音声信号のいずれかを選択的に増幅して出力する第４共用増幅部と、
をさらに備え、
前記制御部は、前記操作部からの操作信号に応じて、前記第１共用増幅部、前記第２共用増幅部、前記第３共用増幅部及び前記第４共用増幅部で増幅すべき信号を切替制御する
ことを特徴とする音声処理装置。
【請求項５】
請求項１，２のいずれかに記載の音声処理装置において、
前記マルチチャンネル音声データに含まれるサラウンド左音声データを時間遅延して前記サラウンド拡張左音声信号を生成するとともに、前記マルチチャンネル音声データに含まれるサラウンド右音声データを時間遅延して前記サラウンド拡張右音声信号を生成するプロセッサ
を備えることを特徴とする音声処理装置。
【請求項６】
請求項３記載の音声処理装置において、
前記マルチチャンネル音声データに含まれるサラウンド左音声データを第１時間だけ時間遅延して前記第１サラウンド拡張左音声信号を生成するとともに、前記マルチチャンネル音声データに含まれるサラウンド右音声データを第１時間だけ時間遅延して前記サラウンド拡張右音声信号を生成し、かつ、前記マルチチャンネル音声データに含まれるサラウンド左音声データを第２時間だけ時間遅延して前記第２サラウンド拡張左音声信号を生成するとともに、前記マルチチャンネル音声データに含まれるサラウンド右音声データを第２時間だけ時間遅延して前記第２サラウンド拡張右音声信号を生成するプロセッサ
を備えることを特徴とする音声処理装置。
【請求項７】
請求項１記載の音声処理装置において、
サラウンド拡張左音声信号用スピーカ端子と、
サラウンド後方左音声信号用スピーカ端子と、
左外側音声信号用スピーカ端子と、
サラウンド拡張右音声信号用スピーカ端子と、
サラウンド後方右音声信号用スピーカ端子と、
右外側音声信号用スピーカ端子と、
をさらに備え、
前記制御部は、前記操作信号に応じて、前記第１共用増幅部からの信号を、前記サラウンド拡張左音声信号用スピーカ端子、サラウンド後方左音声信号用スピーカ端子、左外側音声信号用スピーカ端子のいずれかに出力すべく切替制御するとともに、前記第２共用増幅部からの信号を、前記サラウンド拡張右音声信号用スピーカ端子、サラウンド後方右音声信号用スピーカ端子、右外側音声信号用スピーカ端子のいずれかに出力すべく切替制御することを特徴とする音声処理装置。
【発明の詳細な説明】
【技術分野】
【０００１】
本発明は、マルチチャンネル音声データを再生処理する音声処理装置に関する。
【背景技術】
【０００２】
ＢＤ（ブルーレイ）プレーヤ等のプレーヤと、ＡＶアンプと、スピーカシステムと、ディスプレイ装置とを備える音声再生システムあるいはホームシアターシステムが知られている。プレーヤからＡＶアンプに送信される音声データは、マルチチャンネル音声データがエンコードされたものである。マルチチャンネル音声データは、例えば左音声信号ＦＬ、右音声信号ＦＲ、中央音声信号Ｃ、低域音声信号ＬＦＥ、サラウンド左音声信号ＳＬ、サラウンド右音声信号ＳＲを含んでおり、これらで基本的な５．１ｃｈ音声データを構成する。
【０００３】
他方、近年では、ＢＤプレーヤ等で使用されるDolby True HD, Dolby Digital Plus, DTS-HD等のＨＤ関連の音声フォーマットも広がりつつあり、これらのフォーマットにおいては、さらに、サラウンド後方左音声信号ＳＢＬ、サラウンド後方右音声信号ＳＢＲ、左外側音声信号ＦＷＬ、右外側音声信号ＦＷＲ、左上側音声信号ＦＨＬ、右上側音声信号ＦＨＲが追加されている。なお、各信号の略記は、本出願における便宜上のものである。
【０００４】
しかしながら、これら全てのチャンネルの音声信号に対応するアンプをＡＶアンプに設ける構成では、合計１１．１ｃｈ分のアンプを設けなければならず、ＡＶアンプのコスト、及びシステム全体のコストが増大することになる。また、上記の拡張チャンネルのいずれかに代えて、あるいは上記の拡張チャンネルに加えて、さらに他の音声信号を加える場合も同様の問題が生じ得る。
【先行技術文献】
【特許文献】
【０００５】
【特許文献１】特許第４９９７６５９号
【特許文献２】特許第４４７１０３０号
【発明の概要】
【発明が解決しようとする課題】
【０００６】
マルチチャンネル音声データのチャンネル数が増大するに伴ってＡＶアンプのコストが増大する問題を解消するためには、複数チャンネルの音声信号を一つのアンプで共用することでアンプ数を削減することが効果的である。しかしながら、この場合には、複数チャンネルの多様な組み合わせのうち、どのチャンネルの組み合わせでアンプを共用するかが大きな課題となる。リスナーの聴感を損なうことなく効果的にマルチチャンネル音声データを再生しつつ、アンプ数を削減することが求められる。
【０００７】
本発明の目的は、マルチチャンネル音声データのチャンネル数よりも少ないアンプ数で効果的に音声信号を再生処理できる装置を提供することにある。
【課題を解決するための手段】
【０００８】
本発明は、マルチチャンネル音声データから得られるサラウンド左音声信号を増幅して出力する第１増幅部と、前記マルチチャンネル音声データから得られるサラウンド右音声信号を増幅して出力する第２増幅部と、前記サラウンド左音声信号を時間遅延及び／又はレベル調整したサラウンド拡張左音声信号と、前記マルチチャンネル音声データから得られるサラウンド後方左音声信号と、前記マルチチャンネル音声データから得られる左外側音声信号のいずれかを選択的に増幅して出力する第１共用増幅部と、前記サラウンド右音声信号を時間遅延及び／又はレベル調整したサラウンド拡張右音声信号と、前記マルチチャンネル音声データから得られるサラウンド後方右音声信号と、前記マルチチャンネル音声データから得られる右外側音声信号のいずれかを選択的に増幅して出力する第２共用増幅部と、ユーザ操作可能な操作部と、前記操作部からの操作信号に応じて、前記第１共用増幅部及び前記第２共用増幅部で増幅すべき信号を切替制御する制御部とを備えることを特徴とする。
【０００９】
また、本発明は、マルチチャンネル音声データから得られるサラウンド左音声信号を増幅して出力する第１増幅部と、前記マルチチャンネル音声データから得られるサラウンド右音声信号を増幅して出力する第２増幅部と、前記サラウンド左音声信号を時間遅延及び／又はレベル調整したサラウンド拡張左音声信号と、前記マルチチャンネル音声データから得られる左上側音声信号と、前記マルチチャンネル音声データから得られる左外側音声信号のいずれかを選択的に増幅して出力する第１共用増幅部と、前記サラウンド右音声信号を時間遅延及び／又はレベル調整したサラウンド拡張右音声信号と、前記マルチチャンネル音声データから得られる右上側音声信号と、前記マルチチャンネル音声データから得られる右外側音声信号のいずれかを選択的に増幅して出力する第２共用増幅部と、ユーザ操作可能な操作部と、前記操作部からの操作信号に応じて、前記第１共用増幅部及び前記第２共用増幅部で増幅すべき信号を切替制御する制御部とを備えることを特徴とする。
【００１０】
本発明の１つの実施形態では、前記マルチチャンネル音声データに含まれるサラウンド左音声データを時間遅延して前記サラウンド拡張左音声信号を生成するとともに、前記マルチチャンネル音声データに含まれるサラウンド右音声データを時間遅延して前記サラウンド拡張右音声信号を生成するプロセッサを備えることを特徴とする。
【００１１】
また、本発明は、マルチチャンネル音声データから得られるサラウンド左音声信号を増幅して出力する第１増幅部と、前記マルチチャンネル音声データから得られるサラウンド右音声信号を増幅して出力する第２増幅部と、前記サラウンド左音声信号を時間遅延及び／又はレベル調整した第１サラウンド拡張左音声信号と、前記マルチチャンネル音声データから得られるサラウンド後方左音声信号と、前記マルチチャンネル音声データから得られる左外側音声信号のいずれかを選択的に増幅して出力する第１共用増幅部と、前記サラウンド右音声信号を時間遅延及び／又はレベル調整した第１サラウンド拡張右音声信号と、前記マルチチャンネル音声データから得られるサラウンド後方右音声信号と、前記マルチチャンネル音声データから得られる右外側音声信号のいずれかを選択的に増幅して出力する第２共用増幅部と、前記サラウンド左音声信号を時間遅延あるいはレベル調整した第２サラウンド拡張左音声信号を外部増幅部に出力するとともに、前記サラウンド右音声信号を時間遅延あるいはレベル調整した第２サラウンド拡張右音声信号を外部増幅部に出力するプリアウト部と、ユーザ操作可能な操作部と、前記操作部からの操作信号に応じて、前記第１共用増幅部及び前記第２共用増幅部で増幅すべき信号を切替制御する制御部とを備えることを特徴とする。
【００１２】
本発明の１つの実施形態では、前記マルチチャンネル音声データに含まれるサラウンド左音声データを第１時間だけ時間遅延して前記第１サラウンド拡張左音声信号を生成するとともに、前記マルチチャンネル音声データに含まれるサラウンド右音声データを第１時間だけ時間遅延して前記サラウンド拡張右音声信号を生成し、かつ、前記マルチチャンネル音声データに含まれるサラウンド左音声データを第２時間だけ時間遅延して前記第２サラウンド拡張左音声信号を生成するとともに、前記マルチチャンネル音声データに含まれるサラウンド右音声データを第２時間だけ時間遅延して前記第２サラウンド拡張右音声信号を生成するプロセッサを備えることを特徴とする。
【発明の効果】
【００１３】
本発明によれば、サラウンド音声信号からサラウンド拡張音声信号を生成し、これを特定の音声信号と組み合わせて共用増幅部（共用アンプ）で増幅して出力することで、サラウンド効果を維持しつつアンプ数を効果的に削減することができる。
【図面の簡単な説明】
【００１４】
【図１】第１実施形態におけるＡＶアンプ及びスピーカの配置を示す説明図である。
【図２】第１実施形態における音声再生システムの構成図である。
【図３】第１実施形態における音声信号のチャンネルを模式的に示す図である。
【図４】第１実施形態における音声処理部の構成図である。
【図５】第１実施形態における音声信号とパワーアンプとスピーカの対応関係を示すテーブル図である。
【図６】第２実施形態におけるＡＶアンプ及びスピーカの配置を示す説明図である。
【図７】第２実施形態における音声信号のチャンネルを模式的に示す図である。
【図８】第２実施形態における音声処理部の構成図である。
【図９】第２実施形態における音声信号とパワーアンプとスピーカの対応関係を示すテーブル図である。
【図１０】第２実施形態におけるサラウンド信号位置の変化を模式的に示す図である。
【図１１】第３実施形態におけるＡＶアンプ及びスピーカの配置を示す説明図である。
【図１２】第３実施形態における音声信号のチャンネルを模式的に示す図である。
【図１３】第３実施形態における音声処理部の構成図である。
【図１４】第３実施形態における音声信号とパワーアンプとスピーカの対応関係を示すテーブル図である。
【発明を実施するための形態】
【００１５】
以下、図面に基づき本発明の実施形態について説明する。但し、以下の実施形態は例示であって、本発明は以下の実施形態に限定されるものではない。
【００１６】
＜第１実施形態＞
図１に、本実施形態における、ＢＤプレーヤと、音声処理装置と、スピーカシステムと、ディスプレイ装置を備える音声再生システムあるいはホームシアターシステムの構成要素（コンポーネント）である、音声処理装置とスピーカシステムの配置の一例を示す。なお、以下の説明では、音声処理装置をＡＶアンプ１として説明する。
【００１７】
音声処理装置としてのＡＶアンプ１には、左スピーカＳＬ、右スピーカＳＲ、中央スピーカＳＣ、低域スピーカＳＳＷ、サラウンド左スピーカＳＳＬ、サラウンド右スピーカＳＳＲ、サラウンド後方左スピーカＳＳＢＬ、サラウンド後方右スピーカＳＳＢＲ、左外側スピーカＳＬＷ、右外側スピーカＳＲＷが接続される。さらに、ＡＶアンプ１には、サラウンド音声信号を拡張した拡張サラウンド信号を出力するための、サラウンド拡張左スピーカＳ２Ｌ及びサラウンド拡張右スピーカＳ２Ｒが接続される。サラウンド拡張左スピーカＳ２Ｌ及びサラウンド拡張右スピーカＳ２Ｒは、それぞれサラウンド左スピーカＳＬ及びサラウンド右スピーカＳＲよりもリスナーからみてＡＶアンプ１側（前方側）に配置される。サラウンド拡張左スピーカＳ２Ｌ及びサラウンド拡張右スピーカＳ２Ｒは、それぞれサラウンド左スピーカＳＬ及びサラウンド右スピーカＳＲと同一のスピーカ筐体で構成されていてもよく、あるいは別個のスピーカ筐体で構成されていてもよい。
【００１８】
図２に、本実施形態における音声再生システムの全体構成を示す。ＢＤプレーヤ１００、ＡＶアンプ１、ディスプレイ装置２００は、例えばＨＤＭＩ規格に準拠し、ＨＤＭＩケーブルを介して相互に接続される。
【００１９】
ＢＤプレーヤ１００は、マルチチャンネル音声データ及び映像データを含むＨＤＭＩデータをＡＶアンプ１に送信する。
【００２０】
ＡＶアンプ１は、ＢＤプレーヤ１００から受信したＨＤＭＩデータに含まれるマルチチャンネル音声データを増幅してスピーカ群３００に出力する。スピーカ群３００は、図１に示す左スピーカＳＬ、右スピーカＳＲ等である。また、ＡＶアンプ１は、映像データを含むＨＤＭＩデータをディスプレイ装置２００に送信する。
【００２１】
ディスプレイ装置２００は、ＡＶアンプ１から受信したＨＤＭＩデータに含まれる映像データを表示する。
【００２２】
ＡＶアンプ１は、制御部２と、ＨＤＭＩ受信部３と、ＨＤＭＩ送信部４と、音声処理部５と、操作部６と、表示部７と、ＨＤＭＩ端子８，９を備える。ＡＶアンプ１には、スピーカ群３００が接続される。
【００２３】
ＨＤＭＩ受信部３は、ＢＤプレーヤ１００から送信されたＨＤＭＩデータを受信し、ＨＤＭＩデータから元の映像データを生成し、ＨＤＭＩ送信部４に供給する。また、ＨＤＭＩ受信部３は、ＨＤＭＩデータから元のマルチチャンネル音声データを生成し、音声処理部５に供給する。
【００２４】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカ群３００に各チャンネルの音声信号を供給する。
【００２５】
本実施形態における各チャンネルの音声信号は、左音声信号ＦＬ、右音声信号ＦＲ、中央音声信号Ｃ、低域音声信号ＬＦＥ、サラウンド左音声信号ＳＬ、サラウンド右音声信号ＳＲ、サラウンド後方左音声信号ＳＢＬ、サラウンド後方右音声信号ＳＢＲ、左外側音声信号ＦＷＬ、右外側音声信号ＦＷＲであり、さらに、サラウンド左音声信号ＳＬから生成されるサラウンド拡張左音声信号Ｓ２Ｌ、サラウンド右音声信号ＳＲから生成されるサラウンド拡張右音声信号Ｓ２Ｒが含まれる。サラウンド拡張左音声信号Ｓ２Ｌ及びサラウンド拡張右音声信号Ｓ２Ｒは、ＢＤプレーヤ１００から送信されるＨＤＭＩデータのマルチチャンネル音声データには含まれておらず、音声処理部５が、ＨＤＭＩデータのマルチチャンネル音声データに含まれるサラウンド左音声信号ＳＬ及びサラウンド右音声信号ＳＬから生成する信号であり、ユーザであるリスナーによる操作部６の操作に応じて生成する信号である。ユーザであるリスナーが、聴取位置、特に前後位置によらず安定して臨場感ある音声を楽しむために、サラウンド拡張左スピーカＳ２Ｌ及びサラウンド拡張右スピーカＳ２Ｒからの出力を望む場合に操作部６を操作し、音声処理部５は、操作部６からの操作信号に応じて、サラウンド拡張左音声信号Ｓ２Ｌをサラウンド左音声信号ＳＬから生成するとともに、サラウンド拡張右音声信号Ｓ２Ｒをサラウンド右音声信号ＳＲから生成する。
【００２６】
ここで、サラウンド後方左音声信号ＳＢＬは、ユーザであるリスナーの後方左側の位置から再生される音声信号であり、サラウンド後方右音声信号ＳＢＲは、リスナーの後方右側の位置から再生される音声信号であり、左外側音声信号ＦＷＬは、左音声信号の外側（左側）の位置から再生される音声信号であり、右外側音声信号ＦＷＲは、右音声信号の外側（右側）の位置から再生される音声信号である。
【００２７】
制御部２は、ＡＶアンプ１の各部の動作を制御する。
【００２８】
操作部６は、ユーザ操作可能なボタンやつまみ、あるいはタッチパネルで構成される。制御部２は、操作部６からの操作信号に応じてＡＶアンプ１の各部の動作を統括的に制御する。制御部２は、具体的にはマイクロプロセッサで構成される。操作部６は、ＡＶアンプ１の正面に設けられたボタンやつまみの他、リモコンも含まれる。
【００２９】
表示部７は、ＡＶアンプ１及び音声再生システム全体の動作状態を液晶パネル等に表示する。
【００３０】
図３に、本実施形態における各チャンネルの音声信号を模式的に示す。ユーザであるリスナーの位置を基準として、前方に左音声信号ＦＬ、右音声信号ＦＲ、中央音声信号Ｃ、低域音声信号ＬＦＥ、左外側音声信号ＦＷＬ、右外側音声信号ＦＷＲが位置する。また、リスナーの後方にサラウンド後方左音声信号ＳＢＬ、サラウンド後方右音声信号ＳＢＲが位置する。さらに、リスナーの側方左側にサラウンド左音声信号ＳＬ、サラウンド拡張左音声信号Ｓ２Ｌが位置し、リスナーの側方右側にサラウンド右音声信号ＳＲ、サラウンド拡張右音声信号Ｓ２Ｒが位置する。
【００３１】
サラウンド拡張左音声信号Ｓ２Ｌ及びサラウンド拡張右音声信号Ｓ２Ｒは、ユーザであるリスナーが、サラウンド左スピーカＳＳＬ及びサラウンド右スピーカＳＳＲよりもＡＶアンプ１側（前方）に位置する場合でも、確実にサラウンド効果を得るための信号であり、サラウンド拡張左音声信号Ｓ２Ｌは、サラウンド左音声信号ＳＬをコピーするとともに所定量の時間遅延処理を行って生成される。同様に、サラウンド拡張右音声信号Ｓ２Ｒも、サラウンド右音声信号ＳＲをコピーするとともに所定量の時間遅延処理を行って生成される。
【００３２】
本実施形態における音声信号は、図３に示すように、合計１１．１ｃｈの音声信号であり、これらの全てを個別にアンプで増幅しようとすると、合計１２個のアンプが必要となってコスト増加を招く。
【００３３】
そこで、本実施形態では、マルチチャンネルの音声信号のうち、左外側音声信号ＦＷＬとサラウンド後方左音声信号ＳＢＬとサラウンド拡張左音声信号Ｓ２Ｌについてはアンプを共用とし、かつ、右外側音声信号ＦＷＲとサラウンド後方右音声信号ＳＢＲとサラウンド拡張右音声信号Ｓ２Ｒについてはアンプを共用として、アンプ数の削減を図っている。左外側音声信号ＦＷＬとサラウンド後方左音声信号ＳＢＬとサラウンド拡張左音声信号Ｓ２Ｌでアンプを共用とし、かつ、右外側音声信号ＦＷＲとサラウンド後方右音声信号ＳＢＲとサラウンド拡張右音声信号Ｓ２Ｒでアンプを共用とすることで、合計８個のアンプ数のみで音声信号を増幅して出力することが可能となる。しかも、左外側音声信号ＦＷＬとサラウンド後方左音声信号ＳＢＬとサラウンド拡張左音声信号Ｓ２Ｌでアンプを共用とし、かつ、右外側音声信号ＦＷＲとサラウンド後方右音声信号ＳＢＲとサラウンド拡張右音声信号Ｓ２Ｒでアンプを共用とすることで、リスナーは、左音声信号ＦＬ、右音声信号ＦＲ、中央音声信号Ｃ、低域音声信号ＬＦＥ、サラウンド左信号ＳＬ、サラウンド右信号ＳＲに加え、左外側音声信号ＦＷＬとサラウンド後方左音声信号ＳＢＬとサラウンド拡張左音声信号Ｓ２Ｌのいずれか、及び、右外側音声信号ＦＷＲとサラウンド後方右音声信号ＳＢＲとサラウンド拡張右音声信号Ｓ２Ｒのいずれかを聴取することができるので、基本の５．１ｃｈに加え、さらに２ｃｈを追加したサラウンド効果を聴感することが可能である。左外側音声信号ＦＷＬとサラウンド後方左音声信号ＳＢＬとサラウンド拡張左音声信号Ｓ２Ｌのいずれを共用アンプで処理するか、及び、右外側音声信号ＦＷＲとサラウンド後方右音声信号ＳＢＲとサラウンド拡張右音声信号Ｓ２Ｒのいずれを共用アンプで処理するかは、制御部２がリスナーによる操作部６の操作に応じて切替制御する。
【００３４】
図４に、音声処理部５の要部構成を示す。なお、図４において、左音声信号ＦＬ、右音声信号ＦＲ、中央音声信号Ｃ、低域音声信号、サラウンド左音声信号ＳＬ、サラウンド右音声信号については従来と同様であるため省略している。また、リスナーの左側の音声信号と右側の音声信号はその処理が同一であるため、図では両者をまとめて示している。例えば、サラウンド後方左音声信号ＳＢＬとサラウンド後方右音声信号ＳＢＲについてはまとめてＳＢとして示し、左外側音声信号ＦＷＬと右外側音声信号ＦＷＲについてはまとめてＦＷとして示し、サラウンド拡張左音声信号Ｓ２Ｌとサラウンド拡張右音声信号Ｓ２ＲについてはまとめてＳ２として示し、サラウンド左音声信号ＳＬとサラウンド右音声信号ＳＲについてはまとめてＳとして示す。従って、図４は、サラウンド後方音声信号、外側音声信号、サラウンド拡張信号のそれぞれの左右音声信号のいずれかを示したものであると理解されたい。
【００３５】
音声処理部５は、ＤＳＰ１０と、プリアウト部１１と、パワーアンプ１２と、スピーカリレー１３と、スピーカ端子１４を備える。
【００３６】
ＤＳＰ１０は、プリアウト部１１の前段に設けられ、ＨＤＭＩ受信部３から供給されるマルチチャンネル音声データをデコード及びＤ／Ａ変換し、各チャンネルの音声信号を生成する。特に、ＤＳＰ１０は、サラウンド音声信号Ｓから、サラウンド拡張音声信号Ｓ２を生成する。ＤＳＰ１０は、生成した各チャンネルの音声信号をプリアウト部１１に供給する。具体的には、ユーザであるリスナーがサラウンド拡張信号の出力を要求するように操作部６を操作すると、操作部６からこの操作に応じたセレクト信号が出力される。ＤＳＰ１０は、このセレクト信号に応じ、サラウンド音声信号Ｓをコピーし、かつ、時間遅延させてサラウンド拡張音声信号Ｓ２を生成する。実際には、サラウンド左音声信号ＳＬからサラウンド拡張左音声信号Ｓ２Ｌを生成し、サラウンド右音声信号ＳＲからサラウンド拡張右音声信号Ｓ２Ｒを生成することは既述した通りである。ＤＳＰ１０は、生成したサラウンド拡張信号Ｓ２を、サラウンド後方音声信号ＳＢと外側音声信号ＦＷの信号経路に供給する。なお、サラウンド音声信号Ｓは、これとは別に従来と同様にサラウンド音声信号Ｓの信号経路に供給する。
【００３７】
プリアウト部１１は、複数の切替スイッチを備える。サラウンド後方音声信号ＳＢと外側音声信号ＦＷとサラウンド拡張信号Ｓ２は、切替スイッチによりいずれかが選択的に出力され、ボリューム調整されてパワーアンプ１２に供給される。切替スイッチは、リスナーによる操作部６の操作に応じ、制御部２により制御される。リスナーがサラウンド後方音声信号ＳＢを選択した場合、制御部２は、サラウンド後方音声信号ＳＢが選択的にパワーアンプ１２に供給されるように切替スイッチを切替制御する。リスナーが外側音声信号ＦＷを選択した場合、制御部２は、外側音声信号ＦＷが選択的にパワーアンプ１２に供給されるように切替スイッチを切替制御する。また、リスナーがサラウンド拡張音声信号Ｓ２を選択した場合、制御部２は、サラウンド拡張信号Ｓ２が選択的にパワーアンプ１２に供給されるように切替スイッチを切替制御する。従って、サラウンド後方音声信号ＳＢと、外側音声信号ＦＷと、サラウンド拡張音声信号Ｓ２は、そのいずれかが択一的に選択されてパワーアンプ１２に供給される。
【００３８】
なお、Ｚｏｎｅ２は、図１に示すＡＶアンプ１及びスピーカ群の配置された部屋と異なる別の部屋（Ｚｏｎｅ２）で音声信号を再生する場合に使用する機能であり、ＤＳＰ１０から供給されるＺｏｎｅ２用の音声信号を選択的にパワーアンプ１２に供給する。また、Ｂｉ−ＡＭＰは、Ｂｉ−ＡＭＰ機能を使用する場合であり、Ｂｉ−ＡＭＰ用音声信号を選択的にパワーアンプ１２に供給する。従って、本実施形態におけるパワーアンプ１２は、サラウンド後方音声信号ＳＢ、外側音声信号ＦＷ、サラウンド拡張信号Ｓ２で共用されるだけでなく、サラウンド後方音声信号ＳＢ、外側音声信号ＦＷ、サラウンド拡張信号Ｓ２、Ｚｏｎｅ２音声信号、Ｂｉ−ＡＭＰ音声信号で共用されるといえる。Ｚｏｎｅ２機能、Ｂｉ−ＡＭＰ機能については公知であるため、以下ではサラウンド後方音声信号ＳＢ、外側音声信号ＦＷ、サラウンド拡張信号Ｓ２のいずれかが選択的に供給される場合について説明する。
【００３９】
パワーアンプ１２は、プリアウト部１１から供給された、サラウンド後方音声信号ＳＢ、外側音声信号ＦＷ、サラウンド拡張信号Ｓ２のいずれかを増幅してスピーカリレー１３に供給する。
【００４０】
スピーカリレー１３は、複数の切替スイッチを備える。第１切替スイッチは、パワーアンプ１２とサラウンド後方音声信号用スピーカ端子ＳＢを接続する。第２切替スイッチは、パワーアンプ１２と外側音声信号用スピーカ端子ＦＷを接続する。第３切替スイッチは、パワーアンプ１２とサラウンド拡張音声信号用スピーカ端子Ｓ２を接続する。スピーカリレー１３の切替スイッチは、リスナーによる操作部６の操作に応じ、制御部２により切替制御される。リスナーがサラウンド後方音声信号ＳＢを選択した場合、制御部２は、第１切替スイッチを選択的にオン制御してパワーアンプ１２で増幅されたサラウンド後方音声信号ＳＢをサラウンド後方音声信号用スピーカ端子ＳＢに供給する。リスナーが外側音声信号ＦＷを選択した場合、制御部２は、第２切替スイッチを選択的にオン制御してパワーアンプ１２で増幅された外側音声信号ＦＷを外側音声信号用スピーカ端子ＦＷに供給する。また、リスナーがサラウンド拡張音声信号Ｓ２を選択した場合、制御部２は、第３切替スイッチを選択的にオン制御してパワーアンプ１２で増幅されたサラウンド拡張信号Ｓ２をサラウンド拡張音声信号用スピーカ端子Ｓ２に供給する。
【００４１】
スピーカ端子１４は、サラウンド後方音声信号用スピーカ端子ＳＢ、外側音声信号用スピーカ端子ＦＷ、サラウンド拡張音声信号用スピーカ端子Ｓ２を備える。サラウンド後方音声信号用スピーカ端子ＳＢには、図１に示すサラウンド後方スピーカＳＳＢ、ＳＳＲが接続され、外側音声信号用スピーカ端子ＦＷには、図１に示す外側スピーカＳＬＷ、ＳＲＷが接続され、サラウンド拡張音声信号用スピーカ端子Ｓ２には、図１に示すサラウンド拡張スピーカＳ２Ｌ、Ｓ２Ｒが接続される。
【００４２】
以上のように、リスナーが操作部６を操作してサラウンド拡張音声信号Ｓ２を選択した場合、音声処理部５のＤＳＰ１０は、操作部６からの操作信号（セレクト信号）に応じてマルチチャンネル音声信号に含まれるサラウンド左音声信号ＳＬからサラウンド拡張左音声信号Ｓ２Ｌを生成するとともに、サラウンド右音声信号からサラウンド拡張右音声信号Ｓ２Ｒを生成してプリアウト部１１に供給する。制御部２は、操作信号に応じて、プリアウト部１１の切替スイッチを制御し、サラウンド拡張左音声信号Ｓ２Ｌ及びサラウンド拡張右音声信号Ｓ２Ｒを選択的にパワーアンプ１２に供給し、パワーアンプ１２で増幅する。また、制御部２は、操作信号に応じて、スピーカリレー１３の切替スイッチを制御し、増幅されたサラウンド拡張左音声信号Ｓ２Ｌをスピーカ端子１４を経てサラウンド拡張左スピーカＳ２Ｌから出力するとともに、増幅されたサラウンド拡張右音声信号Ｓ２Ｒをスピーカ端子１４を経てサラウンド拡張右スピーカＳ２Ｒから出力する。
【００４３】
また、リスナーが操作部６を操作してサラウンド後方音声信号ＳＢを選択した場合、音声処理部５のＤＳＰ１０は、サラウンド後方左音声信号ＳＢＬ及びサラウンド後方右音声信号ＳＢＲをプリアウト部１１に供給する。制御部２は、操作信号に応じて、プリアウト部１１の切替スイッチを制御し、サラウンド後方左音声信号ＳＢＬ及びサラウンド後方右音声信号ＳＢＲを選択的にパワーアンプ１２に供給し、パワーアンプ１２で増幅する。また、制御部２は、操作信号に応じて、スピーカリレー１３の切替スイッチを制御し、増幅されたサラウンド後方左音声信号ＳＢＬをスピーカ端子１４を経てサラウンド後方左スピーカＳＳＢＬから出力するとともに、増幅されたサラウンド後方右音声信号ＳＢＲをスピーカ端子１４を経てサラウンド後方右スピーカＳＳＢＲから出力する。
【００４４】
さらに、リスナーが操作部６を操作して外側音声信号ＦＷを選択した場合、音声処理部５のＤＳＰ１０は、左外側音声信号ＦＷＬ及び右外側音声信号ＦＷＲをプリアウト部１１に供給する。制御部２は、操作信号に応じて、プリアウト部１１の切替スイッチを制御し、左外側音声信号ＦＷＬ及び右外側音声信号ＦＷＲを選択的にパワーアンプ１２に供給し、パワーアンプ１２で増幅する。また、制御部２は、操作信号に応じて、スピーカリレー１３の切替スイッチを制御し、増幅された左外側音声信号ＦＷＬをスピーカ端子１４を経て左外側スピーカＳＬＷから出力するとともに、増幅された右外側音声信号ＦＷＲをスピーカ端子１４を経て右外側スピーカＳＲＷから出力する。
【００４５】
複数のリスナーがＡＶアンプ１の方向（前方）に位置している場合等、リスニングポイントにＡＶアンプ１を基準として前後の幅がある場合には、リスナーはＳ２を選択し、それ以外はＳＢあるいはＦＷを選択することになろう。もちろん、これは一例であり、リスナーは任意のモードを選択し得る。
【００４６】
図５に、本実施形態における各チャンネルの音声信号と、パワーアンプと、スピーカとの対応関係を示す。
【００４７】
基本の５．１ｃｈに関しては、従来と同様にそれぞれの音声信号に対応したパワーアンプが設けられ、これらのパワーアンプで増幅してそれぞれのスピーカから出力する。すなわち、左音声信号ＦＬは、ＦＬ用パワーアンプで増幅され、左スピーカＳＬから出力される。右音声信号ＦＲは、ＦＲ用パワーアンプで増幅され、右スピーカＳＲから出力される。中央音声信号Ｃは、Ｃ用パワーアンプで増幅され、中央スピーカＳＣから出力される。低域音声信号ＬＦＥは、ＬＦＥ用パワーアンプで増幅され、低域スピーカＳＷから出力される。サラウンド左音声信号ＳＬは、ＳＬ用パワーアンプで増幅され、サラウンド左スピーカＳＳＬから出力される。サラウンド右音声信号ＳＲは、ＳＲ用パワーアンプで増幅され、サラウンド右スピーカＳＳＲから出力される。
【００４８】
また、サラウンド後方左音声信号ＳＢＬ、左外側音声信号ＦＷＬ、サラウンド拡張左音声信号Ｓ２Ｌに関しては、共用のパワーアンプが設けられ、共用のパワーアンプで選択的に増幅してそれぞれのスピーカから出力される。サラウンド後方右音声信号ＳＢＲ、右外側音声信号ＦＷＲ、サラウンド拡張右音声信号Ｓ２Ｒに関しても、共用のパワーアンプが設けられ、共用のパワーアンプで選択的に増幅してそれぞれのスピーカから出力される。
【００４９】
従って、本実施形態では、合計８個のパワーアンプで１１．１ｃｈのマルチチャンネル音声信号を再生することができる。低域音声信号用のパワーアンプを除外すると、合計７個、つまり７ｃｈ分のパワーアンプで１１ｃｈのマルチチャンネル音声信号を再生できる。
【００５０】
本実施形態は、リスニングポイントが前後に幅のある映画館等に特に好適であるが、一般家庭においても同様に適用できる。
【００５１】
また、本実施形態では、ＤＳＰ１０によってサラウンド音声信号Ｓを時間遅延してサラウンド拡張音声信号Ｓ２を生成しているが、時間遅延のみならずそのレベルも調整してサラウンド拡張音声信号Ｓ２を生成してもよい。サラウンド拡張音声信号Ｓ２は、デジタルのサラウンド音声データから生成されるが、サラウンド音声データをＤ／Ａ変換してアナログ信号に変換した後に、このアナログ信号から生成してもよい。但し、この場合にはレベルのみを調整して生成する。要するに、サラウンド拡張信号Ｓ２は、サラウンド信号Ｓを時間遅延あるいはレベル調整の少なくともいずれかを実行して生成される。１つの好適な実施形態は、サラウンド音声信号Ｓを時間遅延及びレベル調整してサラウンド拡張音声信号Ｓ２を生成するものである。
【００５２】
このように、本実施形態では、制御部２とＤＳＰ１０が共働して、少ないアンプ数で音声信号を再生処理しているが、ＤＳＰ１０は、操作部６からＳ２が選択された旨のセレクト信号を受信した場合のみならず、たとえ受信しなくても常にサラウンド音声信号Ｓからサラウンド拡張音声信号Ｓ２を生成してもよい。生成されたサラウンド拡張音声信号Ｓ２がパワーアンプ１２に供給されるか否かは、制御部２が切替スイッチを制御することにより決定される。
【００５３】
また、リスナーがＳを選択しなかった場合、制御部２は、サラウンド後方音声信号ＳＢと外側音声信号ＦＷのいずれをパワーアンプ１２に出力するかの優先順位を予め設定しておくこともできる。例えば、デフォルト状態ではサラウンド後方音声信号ＳＢを優先的にパワーアンプ１２に供給する等である。
【００５４】
さらに、リスナーによってＳＢ／ＦＷ／Ｓ２のいずれのモードを選択したかのデータは、制御部２のメモリ、たとえはＲＡＭ等の揮発性メモリに格納されるが、これを不揮発性メモリに格納しておき、電源がＯＦＦされた場合にもこのデータを保持し、再び電源がＯＮされたときもリスナーによる選択モードをそのまま維持してもよい。
【００５５】
＜第２実施形態＞
図６に、本実施形態におけるＡＶアンプ１とスピーカシステムの配置を示す。図１と異なる点は、ＡＶアンプ１に、さらに左上側スピーカＳＬＨと右上側スピーカＳＲＨが接続される点である。左上側スピーカＳＬＨは、マルチチャンネル音声信号に含まれる左上側音声信号を出力し、右上側スピーカＳＲＨは、マルチチャンネル音声信号に含まれる右上側音声信号を出力する。
【００５６】
図７に、本実施形態における各チャンネルの音声信号を模式的に示す。図３と異なる点は、さらに左上側音声信号ＦＨＬと右上側音声信号ＦＨＲが追加される点である。各チャンネルの音声信号をそれぞれ増幅するものとすると、合計１４個のパワーアンプが必要となってコストが増大してしまう。
【００５７】
そこで、本実施形態においても、複数のチャンネルの音声信号に対してパワーアンプを共用アンプとすることで、パワーアンプの削減を図っている。
【００５８】
図８に、本実施形態における音声処理部５の要部構成を示す。
【００５９】
ＤＳＰ１０は、プリアウト部１１の前段に設けられ、ＨＤＭＩ受信部３から供給されるマルチチャンネル音声データをデコード及びＤ／Ａ変換し、各チャンネルの音声信号を生成する。特に、ＤＳＰ１０は、サラウンド音声信号Ｓから、サラウンド拡張音声信号Ｓ２を生成する。ＤＳＰ１０は、生成した各チャンネルの音声信号をプリアウト部１１に供給する。具体的には、ユーザであるリスナーがサラウンド拡張信号の出力を要求するように操作部６を操作すると、操作部６からこの操作に応じたセレクト信号が出力される。ＤＳＰ１０は、このセレクト信号に応じ、サラウンド音声信号Ｓをコピーし、かつ、時間遅延させてサラウンド拡張音声信号Ｓ２を生成する。つまり、サラウンド左音声信号ＳＬからサラウンド拡張左音声信号Ｓ２Ｌを生成し、サラウンド右音声信号ＳＲからサラウンド拡張右音声信号Ｓ２Ｒを生成する。ＤＳＰ１０は、生成したサラウンド拡張信号Ｓ２を、上側音声信号ＦＨと外側音声信号ＦＷの信号経路に供給する。
【００６０】
プリアウト部１１は、複数の切替スイッチを備える。サラウンド後方音声信号ＳＢと外側音声信号ＦＷは、切替スイッチによりいずれかが選択的に出力され、ボリューム調整されてパワーアンプ１２に供給される。切替スイッチは、リスナーによる操作部６の操作に応じ、制御部２により制御される。リスナーがサラウンド後方音声信号ＳＢを選択した場合、制御部２は、サラウンド後方音声信号ＳＢが選択的にパワーアンプ１２に供給されるように切替スイッチを切替制御する。リスナーが外側音声信号ＦＷを選択した場合、制御部２は、外側音声信号ＦＷが選択的にパワーアンプ１２に供給されるように切替スイッチを切替制御する。
【００６１】
また、上側音声信号ＦＨと外側音声信号ＦＷは、切替スイッチによりいずれかが選択的に出力され、ボリューム調整されてパワーアンプ１２に供給される。さらに、上側音声信号ＦＨあるいは外側音声信号ＦＷと、サラウンド拡張音声信号Ｓ２は、別の切替スイッチによりいずれかが選択的に出力され、ボリューム調整されてパワーアンプ１２に供給される。リスナーがサラウンド拡張信号Ｓ２を選択した場合、制御部２は、サラウンド拡張信号Ｓ２が選択的にパワーアンプ１２に供給されるように切替スイッチを切替制御する。なお、Ｚｏｎｅ３は、Ｚｏｎｅ２とは異なるさらに別の部屋に音声出力する場合に用いられる。
【００６２】
本実施形態では、サラウンド後方音声信号ＳＢと外側音声信号ＦＷのいずれかがパワーアンプ１２のアンプ１２ａで増幅され、上側音声信号ＦＨと外側音声信号ＦＷとサラウンド拡張音声信号Ｓ２のいずれかがパワーアンプ１２の別のアンプ１２ｂで増幅される。従って、図４の構成ではサラウンド後方音声信号ＳＢとサラウンド拡張信号Ｓ２が同時に増幅されて出力されることはないが、図８に示すように本実施形態ではサラウンド後方音声信号ＳＢとサラウンド拡張音声信号Ｓ２が同時に増幅されて出力される場合もあり得る。また、本実施形態では外側音声信号ＦＷとサラウンド拡張音声信号Ｓ２が同時に増幅されて出力される場合もあり得る。
【００６３】
パワーアンプ１２は、アンプ１２ａ及びアンプ１２ｂを備え、プリアウト部１１から供給された、サラウンド後方音声信号ＳＢと外側音声信号ＦＷのいずれかをアンプ１２ａで増幅してスピーカリレー１３に供給する。また、パワーアンプ１２は、上側音声信号ＦＨと外側音声信号ＦＷとサラウンド拡張音声信号Ｓ２のいずれかをアンプ１２ｂで増幅してスピーカリレー１３に供給する。
【００６４】
スピーカリレー１３は、複数の切替スイッチを備える。第１切替スイッチは、パワーアンプ１２のアンプ１２ａとサラウンド後方音声信号用スピーカ端子ＳＢを接続する。第２切替スイッチは、パワーアンプ１２のアンプ１２ａと外側音声信号用スピーカ端子ＦＷを接続する。第３切替スイッチは、パワーアンプ１２のアンプ１２ｂと外側音声信号用スピーカ端子ＦＷを接続する。第４切替スイッチは、パワーアンプ１２のアンプ１２ｂとサラウンド拡張音声信号用スピーカ端子Ｓ２を接続する。スピーカリレー１３の切替スイッチは、リスナーによる操作部６の操作に応じ、制御部２により切替制御される。
【００６５】
リスナーがサラウンド後方音声信号ＳＢを選択した場合、制御部２は、第１切替スイッチを選択的にオン制御してパワーアンプ１２のアンプ１２ａで増幅されたサラウンド後方音声信号ＳＢをサラウンド後方音声信号用スピーカ端子ＳＢに供給する。また、制御部２は、第３切替スイッチを選択的にオン制御してパワーアンプ１２のアンプ１２ｂで増幅された外側音声信号ＦＷを外側音声信号用スピーカ端子ＦＷに出力する。あるいは、制御部２は、パワーアンプ１２のアンプ１２ｂで増幅された上側音声信号ＦＨを出力してもよい。
【００６６】
リスナーがサラウンド拡張信号Ｓ２を選択した場合、制御部２は、第１切替スイッチを選択的にオン制御してパワーアンプ１２のアンプ１２ａで増幅されたサラウンド後方音声信号ＳＢをサラウンド後方音声信号用スピーカ端子ＳＢに出力する。あるいは、制御部２は、第２切替スイッチを選択的にオン制御してパワーアンプ１２のアンプ１２ａで増幅された外側音声信号ＦＷを外側音声信号用スピーカ端子ＦＷに出力する。また、制御部は、第４切替スイッチを選択的にオン制御してパワーアンプ１２のアンプ１２ｂで増幅されたサラウンド拡張音声信号Ｓ２をサラウンド拡張音声信号用スピーカ端子Ｓ２に出力する。
【００６７】
リスナーが外側音声信号ＦＷを選択した場合、制御部２は、第１切替スイッチを選択的にオン制御してパワーアンプ１２で増幅されたサラウンド後方音声信号ＳＢをサラウンド後方音声信号用スピーカ端子ＳＢに供給する。また、制御部２は、第３切替スイッチを選択的にオン制御してパワーアンプ１２で増幅された外側音声信号ＦＷを外側音声信号用スピーカ端子ＦＷに供給する。
【００６８】
図９に、本実施形態における各チャンネルの音声信号と、パワーアンプと、スピーカとの対応関係を示す。
【００６９】
基本の５．１ｃｈに関しては、従来と同様にそれぞれの音声信号に対応したパワーアンプが設けられ、これらのパワーアンプで増幅してそれぞれのスピーカから出力する。すなわち、左音声信号ＦＬは、ＦＬ用パワーアンプで増幅され、左スピーカＳＬから出力される。右音声信号ＦＲは、ＦＲ用パワーアンプで増幅され、右スピーカＳＲから出力される。中央音声信号Ｃは、Ｃ用パワーアンプで増幅され、中央スピーカＳＣから出力される。低域音声信号ＬＦＥは、ＬＦＥ用パワーアンプで増幅され、低域スピーカＳＷから出力される。サラウンド左音声信号ＳＬは、ＳＬ用パワーアンプで増幅され、サラウンド左スピーカＳＳＬから出力される。サラウンド右音声信号ＳＲは、ＳＲ用パワーアンプで増幅され、サラウンド右スピーカＳＳＲから出力される。
【００７０】
また、サラウンド後方左音声信号ＳＢＬ、左外側音声信号ＦＷＬに関しては、共用のパワーアンプが設けられ、共用のパワーアンプで選択的に増幅してそれぞれのスピーカから出力される。サラウンド後方右音声信号ＳＢＲ、右外側音声信号ＦＷＲに関しても、共用のパワーアンプが設けられ、共用のパワーアンプで選択的に増幅してそれぞれのスピーカから出力される。
【００７１】
また、左上側音声信号ＦＨＬ、左外側音声信号ＦＷＬ、サラウンド拡張左音声信号Ｓ２Ｌに関しても、共用のパワーアンプが設けられ、共用のパワーアンプで選択的に増幅してそれぞれのスピーカから出力される。右上側音声信号ＦＨＲ、右外側音声信号ＦＷＲ、サラウンド拡張右音声信号Ｓ２Ｒに関しても、共用のパワーアンプが設けられ、共用のパワーアンプで選択的に増幅してそれぞれのスピーカから出力される。
【００７２】
従って、本実施形態では、合計１０個（低域音声信号用のパワーアンプを除くと合計９個、つまり９ｃｈ分）のパワーアンプで１３．１ｃｈのマルチチャンネル音声信号を再生することができる。
【００７３】
本実施形態では、既述したように、サラウンド後方音声信号ＳＢとサラウンド拡張音声信号Ｓ２はそれぞれ別の共用パワーアンプで同時に増幅して出力することが可能な構成であるから、５，１ｃｈの再生時と７．１ｃｈの再生時とで、サラウンド音声信号の位置を変化させることができる。すなわち、７．１ｃｈの再生時には、サラウンド後方音声信号ＳＢを再生するとともにサラウンド拡張音声信号Ｓを再生し、５．１ｃｈの再生時には、サラウンド音声信号を再生する等である。
【００７４】
図１０に、この例の場合の各チャンネルの音声信号を模式的に示す。図１０（ａ）は７．１ｃｈ再生時の音声信号であり、図１０（ｂ）は５．１ｃｈ再生時の音声信号である。両図において、増幅されて出力される音声信号をハッチングで示す。図１０（ａ）では、左音声信号ＦＬ、右音声信号ＦＲ、中央音声信号Ｃ、低域音声信号ＬＦＥ、サラウンド後方左音声信号ＳＢＬ、サラウンド後方右音声信号ＳＢＲ、サラウンド拡張左音声信号Ｓ２Ｌ、サラウンド拡張右音声信号Ｓ２Ｒが出力される。他方、図１０（ｂ）では、左音声信号ＦＬ、右音声信号ＦＲ、中央音声信号Ｃ、低域音声信号ＬＦＥ、サラウンド左音声信号ＳＬ、サラウンド右音声信号ＳＲが出力される。図１０（ａ）、（ｂ）でサラウンドの位置が異なる点に留意されたい。図１０（ａ）の配置関係とすることで、７．１ｃｈの音声信号を効果的に使用して立体感、臨場感を高めることができる。
【００７５】
＜第３実施形態＞
図１１に、本実施形態におけるＡＶアンプ１とスピーカシステムの配置を示す。図６と異なる点は、ＡＶアンプ１に、さらにサラウンド拡張スピーカが接続される点である。すなわち、図６におけるサラウンド拡張スピーカＳ２Ｌ，Ｓ２Ｒを第１サラウンド拡張スピーカとすると、これに加えてさらに第２サラウンド拡張音声スピーカＳ３Ｌ，Ｓ３Ｒが接続される。
【００７６】
第１サラウンド拡張音声信号Ｓ２は、第２実施形態と同様にＡＶアンプ１の共用アンプで増幅されて出力されるが、第２サラウンド拡張音声信号Ｓ３は、ＡＶアンプ１とは別の外部アンプで増幅されて出力される。すなわち、ＡＶアンプ１のＤＳＰ１０は、サラウンド音声信号Ｓから第１サラウンド拡張音声信号Ｓ２を生成するとともに第２サラウンド拡張音声信号Ｓ３を生成してプリアウト部１１に供給する。プリアウト部１１には、外部アンプが接続されており、第２サラウンド拡張音声信号Ｓ２をプリアウト部１１から外部アンプに供給して増幅する。外部アンプで増幅された第２サラウンド拡張音声信号は、第２サラウンド拡張スピーカＳ３Ｌ，Ｓ３Ｒに供給されて出力される。
【００７７】
図１２に、本実施形態における各チャンネルの音声信号を模式的に示す。図７と異なる点は、サラウンド左音声信号ＳＬ、サラウンド右音声信号ＳＲ、第１サラウンド拡張左音声信号Ｓ２Ｌ、第１サラウンド拡張右音声信号Ｓ２Ｒに加えて、第２サラウンド拡張左音声信号Ｓ３Ｌ及び第２サラウンド拡張右音声信号Ｓ３Ｒが追加される点である。
【００７８】
図１３に、本実施形態における音声処理部５の要部構成を示す。
【００７９】
ＤＳＰ１０は、プリアウト部１１の前段に設けられ、ＨＤＭＩ受信部３から供給されるマルチチャンネル音声データをデコード及びＤ／Ａ変換し、各チャンネルの音声信号を生成する。ＤＳＰ１０は、サラウンド音声信号Ｓから、第１サラウンド拡張音声信号Ｓ２及び第２サラウンド拡張信号Ｓ３を生成する。ＤＳＰ１０は、生成した各チャンネルの音声信号をプリアウト部１１に供給する。具体的には、ユーザであるリスナーがサラウンド拡張信号の出力を要求するように操作部６を操作すると、操作部６からこの操作に応じたセレクト信号が出力される。ＤＳＰ１０は、このセレクト信号に応じ、サラウンド音声信号Ｓをコピーし、かつ、時間遅延させて第１サラウンド拡張音声信号Ｓ２及び第２サラウンド拡張音声信号Ｓ３を生成する。第１サラウンド拡張音声信号Ｓ２と第２サラウンド拡張音声信号Ｓ３の時間遅延量は互いに異なる。すなわち、リスナーとスピーカとの位置関係に応じ、サラウンド音声信号Ｓを第１時間だけ時間遅延させて第１サラウンド拡張音声信号Ｓ２を生成し、サラウンド音声信号Ｓを第２時間だけ遅延させて第２サラウンド拡張音声信号Ｓ３を生成する。第１時間、第２時間は、それぞれリスナーとスピーカとの位置に応じて調整される。ＤＳＰ１０は、生成した第１サラウンド拡張信号Ｓ２を、上側音声信号ＦＨと外側音声信号ＦＷの信号経路に供給する。また、ＤＳＰ１０は、生成した第２サラウンド拡張信号Ｓ３を、外側音声信号ＦＷの信号経路に供給する。
【００８０】
プリアウト部１１は、複数の切替スイッチを備える。サラウンド後方音声信号ＳＢと外側音声信号ＦＷは、切替スイッチによりいずれかが選択的に出力され、ボリューム調整されてパワーアンプ１２のアンプ１２ｃに供給される。切替スイッチは、リスナーによる操作部６の操作に応じ、制御部２により制御される。  
【００８１】
また、外側音声信号ＦＷと第２サラウンド拡張音声信号Ｓ３は、別の切替スイッチによりいずれかが選択的に出力され、ボリューム調整されて外部アンプ（図示せず）に供給されて増幅される。
【００８２】
さらに、上側音声信号ＦＨあるいは外側音声信号ＦＷと、第１サラウンド拡張音声信号Ｓ２は、別の切替スイッチによりいずれかが選択的に出力され、ボリューム調整されてパワーアンプ１２のアンプ１２ｄに供給される。
【００８３】
本実施形態では、サラウンド後方音声信号ＳＢと外側音声信号ＦＷのいずれかがパワーアンプ１２で増幅され、上側音声信号ＦＨと外側音声信号ＦＷと第１サラウンド拡張音声信号Ｓ２のいずれかが別のパワーアンプ１２で増幅される。さらに、外側音声信号ＦＷと第２サラウンド拡張音声信号Ｓ３のいずれかが外部アンプで増幅される。従って、本実施形態においても、第２実施形態と同様にサラウンド後方音声信号ＳＢとサラウンド拡張音声信号Ｓ２が同時に増幅されて出力される場合もあり得、外側音声信号ＦＷと第１サラウンド拡張音声信号Ｓ２が同時に増幅されて出力される場合もあり得る。これに加えて、本実施形態では、第２サラウンド拡張音声信号Ｓ３が同時に外部アンプで増幅されて出力される場合もあり得る。
【００８４】
具体的には、リスナーが第１サラウンド拡張音声信号Ｓ２及び第２サラウンド拡張音声信号Ｓ３を選択した場合、制御部２は、プリアウト部１１の切替スイッチ及びスピーカリレー１３の切替スイッチを制御して、サラウンド後方音声信号ＳＢあるいは外側音声信号ＦＷをアンプ１２ｃで増幅して出力させ、第１サラウンド拡張音声信号Ｓ２をアンプ１２ｄで増幅して出力させ、第２サラウンド拡張音声信号Ｓ３を外部アンプで増幅して出力させる。
【００８５】
図１４に、本実施形態における各チャンネルの音声信号と、パワーアンプと、スピーカとの対応関係を示す。
【００８６】
基本の５．１ｃｈに関しては、従来と同様にそれぞれの音声信号に対応したパワーアンプが設けられ、これらのパワーアンプで増幅してそれぞれのスピーカから出力する。すなわち、左音声信号ＦＬは、ＦＬ用パワーアンプで増幅され、左スピーカＳＬから出力される。右音声信号ＦＲは、ＦＲ用パワーアンプで増幅され、右スピーカＳＲから出力される。中央音声信号Ｃは、Ｃ用パワーアンプで増幅され、中央スピーカＳＣから出力される。低域音声信号ＬＦＥは、ＬＦＥ用パワーアンプで増幅され、低域スピーカＳＷから出力される。サラウンド左音声信号ＳＬは、ＳＬ用パワーアンプで増幅され、サラウンド左スピーカＳＳＬから出力される。サラウンド右音声信号ＳＲは、ＳＲ用パワーアンプで増幅され、サラウンド右スピーカＳＳＲから出力される。
【００８７】
また、サラウンド後方左音声信号ＳＢＬ、左外側音声信号ＦＷＬに関しては、共用のパワーアンプが設けられ、共用のパワーアンプで選択的に増幅してそれぞれのスピーカから出力される。サラウンド後方右音声信号ＳＢＲ、右外側音声信号ＦＷＲに関しても、共用のパワーアンプが設けられ、共用のパワーアンプで選択的に増幅してそれぞれのスピーカから出力される。
【００８８】
また、左上側音声信号ＦＨＬ、左外側音声信号ＦＷＬ、第１サラウンド拡張左音声信号Ｓ２Ｌに関しても、共用のパワーアンプが設けられ、共用のパワーアンプで選択的に増幅してそれぞれのスピーカから出力される。右上側音声信号ＦＨＲ、右外側音声信号ＦＷＲ、第１サラウンド拡張右音声信号Ｓ２Ｒに関しても、共用のパワーアンプが設けられ、共用のパワーアンプで選択的に増幅してそれぞれのスピーカから出力される。
【００８９】
さらに、第２サラウンド拡張左音声信号Ｓ３Ｌ、左外側音声信号ＦＷＬに関しては、共用の外部アンプが設けられ、共用の外部アンプで選択的に増幅してスピーカから出力される。第２サラウンド拡張右音声信号Ｓ３Ｒ、右外側音声信号ＦＷＲに関しても、共用の外部アンプが設けられ、共用の外部アンプで選択的に増幅してスピーカから出力される。
【００９０】
本実施形態においても、図１０に示すように、再生出力すべきチャンネス数に応じてサラウンド音声信号の位置を動的に変化させることが可能である。例えば、図１０（ａ）のようにサラウンド後方左音声信号ＳＢＬ、サラウンド後方右音声信号ＳＢＲ、第１サラウンド拡張左音声信号Ｓ２Ｌ、第１サラウンド拡張右音声信号Ｓ２Ｒを出力するとともに、これ加えて第２サラウンド拡張左音声信号Ｓ３Ｌ、第２サラウンド拡張右音声信号Ｓ３Ｒを出力する等である。あるいは、図１０（ａ）において、第１サラウンド拡張左音声信号Ｓ２Ｌ、第１サラウンド拡張右音声信号Ｓ２Ｒに代えて、第２サラウンド拡張左音声信号Ｓ３Ｌ、第２サラウンド拡張右音声信号Ｓ３Ｒを出力するようにしてもよい。
【００９１】
このように、本実施形態では、サラウンド音声信号Ｓに加えて、第１サラウンド拡張音声信号Ｓ２、第２サラウンド拡張音声信号Ｓ３を出力することで、リスナーの位置が前後方向にさらに幅を有する場合にも対応することができる。
【００９２】
第１サラウンド拡張音声信号Ｓ２は、サラウンド音声信号Ｓを時間遅延あるいはレベル調整の少なくともいずれかを実行して生成されるが、第２サラウンド拡張音声信号Ｓ３も同様にサラウンド音声信号Ｓを時間遅延あるいはレベル調整の少なくともいずれかを実行して生成される。１つの好適な実施形態は、サラウンド音声信号Ｓを時間遅延及びレベル調整して第１サラウンド音声信号Ｓ２を生成し、さらに、サラウンド音声信号Ｓを時間遅延及びレベル調整して第２サラウンド拡張音声信号Ｓ３を生成するものである。
【００９３】
以上、本発明の実施形態について説明したが、種々の変形が可能である。
【００９４】
例えば、第３実施形態では、サラウンド音声信号Ｓから第１サラウンド拡張音声信号Ｓ２及び第２サラウンド拡張音声信号Ｓ３を生成したが、必要に応じてさらに多くのサラウンド拡張信号を生成することができる。一般に、サラウンド音声信号からｎ個（ｎは自然数）のサラウンド拡張音声信号を生成することができる。
【符号の説明】
【００９５】
１  ＡＶアンプ、２  制御部、３  ＨＤＭＩ受信部、４  ＨＤＭＩ送信部、５  音声処理部、６  操作部、７  表示部、１００  ＢＤプレーヤ、２００  ディスプレイ装置、３００  スピーカ。
【図１】
2014096735.tif 000003
【図２】
2014096735.tif 000004
【図３】
2014096735.tif 000005
【図４】
2014096735.tif 000006
【図５】
2014096735.tif 000007
【図６】
2014096735.tif 000008
【図７】
2014096735.tif 000009
【図８】
2014096735.tif 000010
【図９】
2014096735.tif 000011
【図１０】
2014096735.tif 000012
【図１１】
2014096735.tif 000013
【図１２】
2014096735.tif 000014
【図１３】
2014096735.tif 000015
【図１４】
2014096735.tif 000016